(57)【要約】【課題】水栓の付け根部分に水が溜まり難くて衛生的であり、且つ手洗いに際して水栓の使い勝手の良い洗面化粧台。【解決手段】洗面ボールの後方に配置されたバックガードの壁面部に水栓が設けられた洗面化粧台。水栓本体（８）は、通水および止水を制御するための操作レバー（８ａ）の先端（８１）が上方を向くように取り付けられている。操作レバーの下端部には、操作レバーを垂れ落ちる水がバックガード（４）の壁面部（４ａ）に達するのを防止するための水切り部（８２）が形成されている。【選択図】　図３
2004057623.tif 000002
【特許請求の範囲】
【請求項１】
洗面ボールの後方に配置されたバックガードの壁面部に水栓が設けられた洗面化粧台において、
前記水栓は、通水および止水を制御するための操作レバーの先端が上方を向くように取り付けられ、
前記操作レバーの下端部には、前記操作レバーを垂れ落ちる水が前記バックガードの壁面部に達するのを防止するための水切り部が形成されていることを特徴とする洗面化粧台。
【請求項２】
前記水栓は、前記操作レバーを有する水栓本体と、該水栓本体を介して前記洗面ボールへ水を吐き出すための吐出部とを備え、前記水栓本体と前記吐出部とはほぼ水平に間隔を隔てて配置されていることを特徴とする請求項１に記載の洗面化粧台。
【請求項３】
前記操作レバーの先端を後方へ押すことにより通水を行うことを特徴とする請求項１または２に記載の洗面化粧台。
【発明の詳細な説明】
【０００１】
【発明の属する技術分野】
本発明は、洗面化粧台に関し、特に洗面化粧台における洗面ボールのための水栓に関するものである。
【０００２】
【従来の技術】
洗面化粧台において洗面ボールのために設けられる水栓として、操作レバー（操作ハンドル）を有するタイプが知られている。操作レバータイプの水栓は、洗面ボールの周囲にあるカウンターのような水平面に設置されることが多い。この場合、操作レバーの先端を押し上げて通水し、操作レバーの先端を押し下げて止水し、操作レバーの先端を右へ向けて冷水（通常温度の水）を供給し、操作レバーの先端を左へ向けて温水を供給する。また、たとえば特開平９−１０８１２９号公報には、操作レバータイプの水栓を、操作レバーの先端が下方を向くようにバックガードの壁面部に取り付ける構成が開示されている。
【０００３】
【発明が解決しようとする課題】
ところで、操作レバータイプの水栓を水平面に設置すると、水栓の付け根部分に水が溜まって汚れ易く、ひいては不衛生になり易い。また、水栓の取付け位置が比較的低くなるので、手洗いに際して水栓の使い勝手があまり良くない。一方、上述の公報に開示された技術にしたがって操作レバーの先端が下方を向くようにバックガードの壁面部に水栓を取り付けると、水平面に設置した場合と同様に操作レバーの先端の位置が低く、手洗いに際して水栓の使い勝手があまり良くない。
【０００４】
本発明は、前述の課題に鑑みてなされたものであり、水栓の付け根部分に水が溜まり難くて衛生的であり、且つ手洗いに際して水栓の使い勝手の良い洗面化粧台を提供することを目的とする。
【０００５】
【課題を解決するための手段】
前記課題を解決するために、本発明では、洗面ボールの後方に配置されたバックガードの壁面部に水栓が設けられた洗面化粧台において、
前記水栓は、通水および止水を制御するための操作レバーの先端が上方を向くように取り付けられ、
前記操作レバーの下端部には、前記操作レバーを垂れ落ちる水が前記バックガードの壁面部に達するのを防止するための水切り部が形成されていることを特徴とする洗面化粧台を提供する。
【０００６】
本発明の好ましい態様によれば、前記水栓は、前記操作レバーを有する水栓本体と、該水栓本体を介して前記洗面ボールへ水を吐き出すための吐出部とを備え、前記水栓本体と前記吐出部とはほぼ水平に間隔を隔てて配置されている。また、前記操作レバーの先端を後方へ押すことにより通水を行うことが好ましい。
【０００７】
【発明の実施の形態】
本発明では、洗面ボールの後方に配置されたバックガードの壁面部に、通水および止水を制御するための操作レバーの先端が上方を向くように水栓が取り付けられている。したがって、操作レバータイプの水栓を水平面に設置する場合とは異なり、水栓の付け根部分に水が溜まり難くて汚れ難く、ひいては衛生的な構成を実現することができる。
【０００８】
なお、操作レバーの先端が下方を向くようにバックガードの壁面部に水栓を取り付けると、水平面に設置した場合と同様に操作レバーの先端の位置が低く、手洗いに際して水栓の使い勝手があまり良くない。これに対し、本発明では、操作レバーの先端が上方を向くように水栓を取り付けているので、操作レバーの先端の位置が比較的高くなり、手洗いに際して水栓の使い勝手が向上する。
【０００９】
ただし、操作レバーの先端が上方を向くように水栓をバックガードの壁面部に取り付ける場合、手洗いに際して操作レバーを垂れ落ちる水がバックガードの壁面部に達し、壁面部が汚れ易くなるとともに不衛生になり易い。本発明では、操作レバーの下端部に水切り部を形成しているので、操作レバーを垂れ落ちる水がバックガードの壁面部に達するのを防止し、ひいては壁面部が汚れて不衛生になるのを防止することができる。
【００１０】
なお、水栓は、操作レバーを有する水栓本体と、この水栓本体を介して洗面ボールへ水を吐き出すための吐出部とを備え、水栓本体と吐出部とはほぼ水平に間隔を隔てて配置されていることが好ましい。この構成により、機能的で、清掃性に優れ、使い勝手の良い水栓を実現することができる。
【００１１】
また、操作レバーの先端を後方へ押すことにより通水を行うことが好ましい。この構成により、誤って給水するような誤操作を回避することができる。以上のように、本発明の洗面化粧台では、水栓の付け根部分に水が溜まり難くて衛生的であり、且つ手洗いに際して水栓の使い勝手が良い。
【００１２】
本発明の実施形態を、添付図面に基づいて説明する。
図１は、本発明の実施形態にかかる洗面化粧台の構成を概略的に示す図であって、（ａ）は正面図であり、（ｂ）は側面図である。また、図２は、洗面ボールおよび水栓の構成を示す斜視図である。さらに、図３は、本実施形態における水栓本体の構成および作用を説明する図であって、（ａ）は内部構成を省略した断面図であり、（ｂ）は線Ａ−Ａに沿った外観図であり、（ｃ）は線Ｂ−Ｂに沿った外観図である。
【００１３】
図１および図２を参照すると、本実施形態の洗面化粧台１は、床に載置されるベースキャビネット２と、ベースキャビネット２の上方に設けられた洗面ボール３と、洗面ボール３の後方に配置されたバックガード４と、洗面ボール３の上方に設けられたミラー収納キャビネット５と、ミラー収納キャビネット５の上方に設けられた照明部６とにより構成されている。
【００１４】
本実施形態では、洗面ボール３のための水栓７がバックガード４の壁面部４ａに設けられている。水栓７は、通水および止水を制御するための操作レバー８ａ（図１では不図示）を有する水栓本体８と、水栓本体８を介して洗面ボール３へ水を吐き出すための吐出部９とにより構成されている。また、水栓本体８と吐出部９とは、ほぼ水平に間隔を隔てて配置されている。
【００１５】
図３を参照すると、水栓本体８は、バックガード４の壁面部４ａに対して、操作レバー８ａの先端８１が上方を向くように取り付けられている。また、操作レバー８ａの下端部には、操作レバー８ａを垂れ落ちる水がバックガード４の壁面部４ａに達するのを防止するための水切り部８２が形成されている。
【００１６】
本実施形態では、操作レバー８ａの先端８１を矢印Ｆ１で示すように後方へ押すことにより通水を行う。具体的には、操作レバー８ａの先端８１を後方へ押して通水し、操作レバー８ａの先端８１を前方へ引いて止水し、操作レバー８ａの先端８１を右へ向けて冷水（通常温度の水）を供給し、操作レバー８ａの先端８１を左へ向けて温水を供給するように構成されている。
【００１７】
以上のように、本実施形態では、洗面ボール３の後方に配置されたバックガード４の壁面部４ａに、通水および止水を制御するための操作レバー８ａの先端８１が上方を向くように水栓本体８が取り付けられている。したがって、操作レバータイプの水栓を水平面に設置する場合とは異なり、水栓本体８の付け根部分に水が溜まり難くて汚れ難く、ひいては衛生的な構成を実現することができる。
【００１８】
また、本実施形態では、操作レバー８ａの先端８１が上方を向くように水栓本体８を取り付けているので、操作レバー８ａの先端８１の位置が比較的高くなり、手洗いに際して水栓の使い勝手が向上する。さらに、本実施形態では、操作レバー８ａの下端部に水切り部８２が形成されているので、操作レバー８ａを垂れ落ちる水が矢印Ｆ２で示すようにバックガード４の壁面部４ａに達することなく洗面ボール３へ落下し、壁面部４ａが汚れて不衛生になるのを防止することができる。
【００１９】
ちなみに、従来技術では、操作レバーの基底部（図３では下端部）が破線８３で示すように円滑な曲面形状に形成されている。その結果、操作レバーの先端が上方を向くようにバックガードの壁面部に取り付けると、手洗いに際して操作レバーを垂れ落ちる水がバックガードの壁面部に達し、壁面部が汚れ易くなるとともに不衛生になり易かった。
【００２０】
また、本実施形態では、水栓本体８と吐出部９とはほぼ水平に間隔を隔てて配置されているので、機能的で、清掃性に優れ、使い勝手の良い水栓７を実現することができる。さらに、本実施形態では、操作レバー８ａの先端８１を後方へ押すことにより通水を行うように設定されているので、誤って給水するような誤操作を回避することができる。
【００２１】
【発明の効果】
以上説明したように、本発明では、水栓がバックガードの壁面部に取り付けられているので、水栓の付け根部分に水が溜まり難くて汚れ難く、ひいては衛生的である。また、操作レバーの先端が上方を向くように水栓を取り付けているので、操作レバーの先端の位置が比較的高くなり、手洗いに際して水栓の使い勝手が向上する。さらに、操作レバーの下端部に水切り部が形成されているので、操作レバーを垂れ落ちる水がバックガードの壁面部に達するのを防止し、ひいては壁面部が汚れて不衛生になるのを防止することができる。
【００２２】
なお、本発明では、水栓が水栓本体と吐出部とを備え、水栓本体と吐出部とがほぼ水平に間隔を隔てて配置されている構成により、機能的で、清掃性に優れ、使い勝手の良い水栓を実現することができる。また、本発明では、操作レバーの先端を後方へ押すことにより通水を行う構成により、誤って給水するような誤操作を回避することができる。
【図面の簡単な説明】
【図１】本発明の実施形態にかかる洗面化粧台の構成を概略的に示す図であって、（ａ）は正面図であり、（ｂ）は側面図である。
【図２】洗面ボールおよび水栓の構成を示す斜視図である。
【図３】本実施形態における水栓本体の構成および作用を説明する図であって、（ａ）は内部構成を省略した断面図であり、（ｂ）は線Ａ−Ａに沿った外観図であり、（ｃ）は線Ｂ−Ｂに沿った外観図である。
【符号の説明】
１　洗面化粧台
２　ベースキャビネット
３　洗面ボール
４　バックガード
５　ミラー収納キャビネット
６　照明部
７　水栓
８　水栓本体
８ａ　操作レバー（操作ハンドル）
９　吐出部
８２　操作レバーの水切り部
【図１】
2004057623.tif 000003
【図２】
2004057623.tif 000004
【図３】
2004057623.tif 000005